【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
版駆動軸に固定状に設けられた版シリンダ部の外周に版が装着されるようになった印刷機において、
版シリンダ部内に温度調節された流体が循環させられるようになされていることを特徴とする印刷機。
【請求項２】
版シリンダ部内に流体循環空間が形成されており、この空間内に温度制御流体を循環させる流体循環手段と、版シリンダ部の温度に応じて温度制御流体の温度を制御する温度制御手段とが設けられていることを特徴とする請求項１の印刷機。
【請求項３】
版シリンダ部内が、仕切壁により周方向に複数の区画に分割され、１つを除く仕切壁に連通穴が形成され、連通穴で連通された複数の区画により流体循環空間が形成されていることを特徴とする請求項２の印刷機。
【請求項４】
版駆動軸に、流体循環空間の一方の端に位置する区画に温度制御流体を流入させる液体流入路と、流体循環空間の他方の端に位置する区画から温度制御流体を流出させる液体流出路が形成されていることを特徴とする請求項３の印刷機。
【請求項５】
版シリンダ部が、内周に版駆動軸がはめられる内側筒部と、外周に版が装着される外側円筒部と、両端を密閉する端壁とを備え、内側筒部と外側円筒部の間の空間が仕切壁により複数の区画に分割されており、内側筒部に、版駆動軸の液体流入路と流体循環空間の上記一方の端に位置する区画を連通する流入穴と、版駆動軸の液体流出路と流体循環空間の上記他方の端に位置する区画を連通する流出穴とが設けられていることを特徴とする請求項４の印刷機。
【請求項６】
版駆動軸の先端部に先細テーパ部が形成され、テーパ状に形成された版シリンダ部の内側筒部がこの先細テーパ部にはめられていることを特徴とする請求項５の印刷機。
【請求項７】
流体循環手段が、ポンプと、ポンプに接続された液体流入管および液体流出管と、版駆動軸の液体流入路および液体流出路を液体流入管および液体流出管にそれぞれ連通させるロータリジョイントとを備えていることを特徴とする請求項２〜６のいずれか１項の印刷機。
【請求項８】
温度制御手段が、版シリンダ部の温度を検出し、検出した版シリンダ部の温度に基づいて、版シリンダ部の温度が所定範囲になるように液体流入管の部分において温度制御流体の温度を制御するものであることを特徴とする請求項２〜７のいずれか１項の印刷機。
【請求項９】
温度制御手段が、版シリンダ部の温度を検出する温度センサと、液体流入管に設けられた熱交換器と、検出された版シリンダ部の温度に基づいて熱交換器を制御するコントローラとを備えていることを特徴とする請求項８の印刷機。
【請求項１０】
温度制御手段が、液体流入管に設けられた流量制御手段を備え、コントローラが、検出された版シリンダ部の温度に基づいて流量制御手段を制御するものであることを特徴とする請求項９の印刷機。
【手続補正２】
【補正対象書類名】明細書
【補正対象項目名】０００３
【補正方法】変更
【補正の内容】
【０００３】
近年、高速で高度な印刷技術を必要とするデザイン要求が増加傾向にある。とくに水無平版印刷や網点印刷の場合、絶対的な機械精度とともに、各部の温度管理が不可欠であるが、現状では、印刷機が設置された室温管理、インキ缶の温度管理、インキ壺を構成するインキ出しローラの温度管理で対応している。
【手続補正３】
【補正対象書類名】明細書
【補正対象項目名】０００９
【補正方法】変更
【補正の内容】
【０００９】
多量の調整缶と時間を費やすセットアップが終わって、量産品質レベルで連続印刷に入った直後から、インキ出しローラおよび版シリンダに急激な温度上昇が生じ、各部の冷却が必要となる。現状では、前記のように、インキ出しローラの温度管理は十分に行われているが、版シリンダの温度管理は不十分であるため、版シリンダの温度上昇とともにインキの温度も急激に上昇し、インキの特性が変化することで、インキの潰し状態や転移性が変わり、網点部や微細なデザイン部または非画線部にインキ汚れや色むらとなって現れてくる。オペレータは、その都度、ラインを停止し、刷版、ブランケットの清掃および後工程に流出した不良製品の処置などを行う必要があり、これが肉体的な負担となっている。また、オペレータによるインキ汚れ、色むらなどの発見が遅れた場合、多量の不良製品が発生するため、検品作業にも細心の注意を払う必要があり、これが精神的な負担増となっている。
【手続補正４】
【補正対象書類名】明細書
【補正対象項目名】００２６
【補正方法】変更
【補正の内容】
【００２６】
このようにすれば、版シリンダ部の内側筒部を版駆動軸の先細テーパ部に密着させて温度制御流体の流入および流出をより確実にすることができる。
【手続補正５】
【補正対象書類名】明細書
【補正対象項目名】００４２
【補正方法】変更
【補正の内容】
【００４２】
版装着装置に版を取り付けるときには、版固定部材が版を径方向外側に押さない状態にしておく。このような状態で、版の係合部が版シリンダ部のみぞにはまるように、版を版シリンダ部の外周に一端部からはめて、版の一端部をストッパに当接させる。これにより、版が、版シリンダ部の所定位置に正確にかつ簡単に取り付けられる。版の内径が版装着面の外径より大きく、版を取り付けるときには、版固定部材が版を径方向外側に押さない状態になっているので、版装着面と版の間に隙間があり、版を版シリンダ部に簡単に取り付けることができる。版が取り付けられたならば、版固定部材が版を径方向外側に押す状態にし、版を版装着面に密着させて固定する。このとき、版の係合部が版シリンダ部のみぞにはまり、版の一端部がストッパに当接することにより、版の周方向および軸方向の位置決めがなされ、版固定部材によりその位置に固定される。したがって、使用中に版シリンダ部に対して版の位置がずれることがない。
【手続補正６】
【補正対象書類名】明細書
【補正対象項目名】００５９
【補正方法】変更
【補正の内容】
【００５９】
上記の版装着装置において、たとえば、版固定部材装着面の凹所の底に形成された楔部材用凹所に、径方向外側に楔面を有する楔部材が軸方向に移動しうるようにはめられ、版シリンダ部に、楔部材を軸方向に移動させて任意の位置に停止させるためのねじ手段が設けられ、版固定部材の径方向内側に楔部材の楔面と当接する楔面が形成され、版シリンダ部または楔部材と版固定部材との間に、永久磁石を用いて版固定部材を径方向内向きに付勢することにより版固定部材の楔面を楔部材の楔面に圧接させる付勢手段が設けられている。
【手続補正７】
【補正対象書類名】明細書
【補正対象項目名】００７４
【補正方法】変更
【補正の内容】
【００７４】
図１は印刷機の版駆動軸(1)に取り付けられて版（刷版）(2)が装着された印刷機の版装着装置(3)の縦断面図、図２は図１のII−II線に沿う断面図、図３は図１の版装着装置(3)の正面図、図４は版装着装置(3)の一部を示す平面図、図５は版装着装置(3)の一部とそれに装着される前の版(2)の一部を拡大して示した縦断面図、図６は図１のVI−VI線に沿う断面図（横断面図）、図７は版装着装置の温度制御の部分の構成図、図８は版(2)とその製造工程を示す斜視図、図９は図８の版形成前の状態の一部を拡大して示す側面図である。以下の説明において、図１の上下を上下とし、図１の左側を前、右側を後とし、前から後を見たときの左右を左右とする。
【手続補正８】
【補正対象書類名】明細書
【補正対象項目名】００８３
【補正方法】変更
【補正の内容】
【００８３】
版装着装置(3)は、軸テーパ部(1a)に固定される版シリンダ部(12)を備えている。版シリンダ部(12)は、中心に前側の内径の小さいテーパ穴(13)が形成された円筒状をなし、その外周に、軸(1)と同心の円筒状の版装着面(14)が形成されている。版シリンダ部(12)は、内周にテーパ穴(13)が形成された先細テーパ状の内側筒部(15)と、外周に版装着面(14)が形成された外側円筒部(16)と、これらを連結する複数（この例では４つ）の仕切壁(17a)(17b)(17c)(17d)とから構成されている。仕切壁は符号(17)で総称し、区別する必要があるときは、前から見て反時計回りに、上側のものから順に第１仕切壁(17a)、第２仕切壁(17b)、第３仕切壁(17c)および第４仕切壁(17d)と呼ぶことにする。内側筒部(15)と外側円筒部(16)の間の環状空間の後端は、これらと一体に形成された環状の後端壁(41)によって塞がれている。同環状空間の前端は、これらの前端に固定されて前端壁を構成する環状の蓋(42)によって塞がれている。内側筒部(15)、外側円筒部(16)、後端壁(41)および蓋(42)により密閉された版シリンダ部(12)内の環状空間が、仕切壁(17)により周方向に複数（この例では４つ）の区画(43a)、(43b)、(43c)および(43d)に分割されている。区画は符号(43)で総称し、区別する必要があるときは、前から見て反時計回りに、第１仕切壁(17a)と第２仕切壁(17b)の間のものから順に第１区画(43a)、第２区画(43b)、第３区画(43c)および第４区画(43d)と呼ぶことにする。版シリンダ部(12)は、テーパ穴(13)に軸テーパ部(1a)をはめ合わせた状態で軸(1)に固定され、軸(1)と一体となって回転する。版シリンダ部(12)の回転方向を、図３および図６に矢印Ｒで示している。
【手続補正９】
【補正対象書類名】明細書
【補正対象項目名】００９２
【補正方法】変更
【補正の内容】
【００９２】
ねじ部材(32)を押圧方向に回転させることにより、楔部材(28)が押圧側（後側）に移動し、それにより、版固定部材(24)が押圧側（径方向外側）に移動し、ねじ部材(32)を反対側の押圧解除方向に回転させることにより、楔部材(28)が押圧解除側（前側）に移動し、それにより、版固定部材(24)が押圧解除側（径方向内側）に移動する。版固定部材(24)は、最も押圧側に移動したときには、版装着面(14)を含む円筒面より径方向外側に突出し、最も押圧解除側に移動したときには、版装着面(14)を含む円筒面より径方向内側に没入するようになっている。ねじ部材(32)および楔部材(28)のめねじ(29)により、楔部材(28)を軸方向に移動させて任意の位置に固定するねじ手段が構成されている。
【手続補正１０】
【補正対象書類名】明細書
【補正対象項目名】００９８
【補正方法】変更
【補正の内容】
【００９８】
版駆動軸(1)に、軸方向にのびる液体流入路(45)および液体流出路(46)が形成されている。流入路(45)は、版シリンダ部(12)内に水を流入させるためのもので、軸(1)の上部の左側に形成されている。流出路(46)は、版シリンダ部(12)内から水を流出させるためのものであり、軸(1)の上部の右側に形成されている。流入路(45)および流出路(46)の前部は外周側に折れ曲がり、流入路(45)の前側端部(45a)は第１区画(43a)に対応する軸テーパ部(1a)の後寄りの部分の外周に達し、流出路(46)の前側端部(46a)は第４区画(43d)に対応する軸テーパ部(1a)の後寄りの部分の外周に達している。流入路(45)および流出路(46)の後部は軸受ハウジング(11)の後側において上側に折れ曲がり、それぞれの後側端部(45b)(46b)は軸(1)の外周に達している。流入路(45)と流出路(46)の後側端部(45b)(46b)の位置は、前後にずらされている。この例では、流入路(45)の後側端部(45b)が前に位置している。版シリンダ部(12)の内側筒部(15)に、流入路(45)と流体循環空間の一方（流入側）の端に位置する区画である第１区画(43a)を連通する流入穴(47)、および流出路(46)と流体循環空間の他方の端に位置する区画である第４区画(43d)を連通する流出穴(48)が形成されている。
【手続補正１１】
【補正対象書類名】明細書
【補正対象項目名】０１０１
【補正方法】変更
【補正の内容】
【０１０１】
ポンプ(57)の吐出口から出た水は、流入管(53)、ロータリジョイント(50)の流入用みぞ(51)、軸(1)の流入路(45)および内側筒部(15)の流入穴(47)を通って、版シリンダ部(12)の第１区画(43a)内の後部に入り、第１区画(43a)内を前方に流れ、第２仕切壁(17b)の連通穴(44b)を通って、第２区画(43b)内の前部に入り、第２区画(43b)内を後方に流れ、第３仕切壁(17c)の連通穴(44c)を通って、第３区画(43c)内の後部に入り、第３区画(43c)内を前方に流れ、第４仕切壁(17d)の連通穴(44d)を通って第４区画(43d)内の前部に入り、第４区画(43d)内を後方に流れ、内側筒部(15)の流出穴(48)から軸(1)の流出路(46)、ロータリジョイント(50)の流出用みぞ(52)および流出管(54)を通って、吸入口からポンプ(57)に戻される。これにより、水が、版シリンダ部(12)の流体循環空間を構成する全区画(43)内を隈なく循環させられる。
【手続補正１２】
【補正対象書類名】明細書
【補正対象項目名】０１１６
【補正方法】変更
【補正の内容】
【０１１６】
版装着装置(3)に版(62)を取り付けるときには、版シリンダ部(12)の温度を低温にし、必要があれば、版(62)を高温にして、版(62)の内径が版装着面(14)の外径よりわずかに大きくなるようにする。必要があれば、版(62)を比較的高温の環境において膨張させておく。そして、版装着面(14)の外径より内径が大きくなった版(62)を、版シリンダ部(12)の外周に一端部からはめて、版(62)の一端部をストッパ(20)に当接させるとともに、周方向位置決め用の凹部(64)と凸部(65)をはめ合わせる。その後、版シリンダ部(12)の温度を適温にする。これにより、版シリンダ部(12)と版(62)が同温度になり、版(62)が版装着面(14)に圧入状態で固定される。版装着装置(13)から版(62)を取り外すときには、版シリンダ部(12)を低温にし、必要があれば、版(62)を高温にして、版(62)の内径が版装着面(14)の外径よりわずかに大きくなるようにする。
【手続補正１３】
【補正対象書類名】明細書
【補正対象項目名】０１１９
【補正方法】変更
【補正の内容】
【０１１９】
【図１】図１は、この発明の第１実施形態を示す印刷機の版装着装置の縦断面図である。
【図２】図２は、図１のII−II線に沿う断面図である。
【図３】図３は、版装着装置の正面図である。
【図４】図４は、版装着装置の一部を示す平面図である。
【図５】図５は、版装着装置の一部とそれに装着される前の版の一部を拡大して示した縦断面図である。
【図６】図６は、図１のVI‐VI線に沿う断面図（横断面図）である。
【図７】図７は、版装着装置の温度制御の部分を示す構成図である。
【図８】図８は、版とその製造工程を示す斜視図である。
【図９】図９は、図８の版形成前のシートの一部を拡大して示す側面図である。
【図１０】図１０は、この発明の第２実施形態を示す印刷機の版装着装置の横断面図である。
【図１１】図１１は、この発明の第３実施形態を示す印刷機の版装着装置の縦断面図である。
【図１２】図１２は、版装着装置の横断面図である。